(57)【要約】【課題】コンテンツデータに埋め込まれた付加情報を修正することが、ハードウェアの負担を少なくして行えるようにする。【解決手段】コンテンツデータを所定量だけバッファ手段に一時蓄積させ、そのバッファ手段に一時蓄積されたコンテンツデータから、そのコンテンツに埋め込まれた付加情報を検出し、その検出された付加情報の内容を判断し、コンテンツデータのデータの種類を判別し、コンテンツデータが記録可能なコンテンツデータと判断されたとき、コンテンツデータを所定の媒体に記録させ、記録が禁止されるコンテンツデータと判断されたとき、コンテンツデータの媒体への記録を実行しないようにし、コンテンツデータが所定のフォーマットのデータであると判別したときに、上記検出及び判断を行って、媒体への記録制限を行うようにした。【選択図】図５
2006313618.tif 000002
【特許請求の範囲】
【請求項１】
コンテンツデータを所定量だけバッファ手段に一時蓄積させる蓄積工程と、
上記蓄積工程で一時蓄積されたコンテンツデータから、そのコンテンツに埋め込まれた付加情報を検出する検出工程と、
上記検出工程で検出された付加情報の内容を判断する判断工程と、
上記コンテンツデータのデータの種類を判別する種類判別工程と、
上記判断工程で上記コンテンツデータが記録可能なコンテンツデータと判断されたとき、上記コンテンツデータを所定の媒体に記録させ、記録が禁止されるコンテンツデータと判断されたとき、上記コンテンツデータの媒体への記録を実行しない記録工程とを有し、
上記種類判別工程で上記コンテンツデータが所定のフォーマットのデータであると判別したときに、上記検出工程及び判断工程を行って、上記媒体への記録制限を行うようにした記録方法。
【請求項２】
請求項１記載の記録方法において、
上記判断工程で、上記付加情報の書き換えが必要と判断したとき、該当する付加情報が上記バッファ手段に蓄積されている間に、そのバッファ手段に蓄積された付加情報を書き換える書き換え工程を有する記録方法。
【請求項３】
請求項２記載の記録方法において、
上記種類判別工程で判別する所定のフォーマットは、オーディオデータのフォーマットである記録方法。
【請求項４】
請求項１記載の記録方法において、
上記コンテンツデータの入力開始時に、上記蓄積工程で、上記バッファ手段へのコンテンツデータの蓄積が、予め定められたデータ量以上になったとき、上記検出工程での検出を開始させる記録方法。
【請求項５】
コンテンツデータを所定量だけ一時蓄積するバッファ手段と、
上記バッファ手段に一時蓄積されたコンテンツデータから、そのコンテンツに埋め込まれた付加情報を検出し、その検出した付加情報の内容が、コンテンツデータを記録可能とする内容のとき、記録を実行させ、コンテンツデータの記録が禁止される内容のとき、記録を実行させない制御手段と、 
上記制御手段の制御で所定の媒体への記録を行う記録手段とを備え、
上記バッファ手段が一時蓄積したコンテンツデータのデータ種類を判別し、その判別したデータの種類が所定のフォーマットのデータであるときに、上記媒体への記録の制限を行う記録装置。
【請求項６】
請求項５記載の記録装置において、
上記制御手段は、上記付加情報の書き換えが必要であると判断したとき、該当する付加情報が上記バッファ手段に蓄積されている間にこの付加情報を書き換える記録装置。
【請求項７】
請求項５記載の記録装置において、
上記バッファ手段が蓄積したデータ量が、予め定められたデータ量以上になってから、上記制御手段は上記付加情報の検出を行う記録装置。
【請求項８】
所定の媒体から再生したコンテンツデータを所定量だけバッファ手段に一時蓄積させる蓄積工程と、
上記蓄積工程で一時蓄積されたコンテンツデータから、そのコンテンツに埋め込まれた付加情報を検出する検出工程と、
上記検出工程で検出された付加情報の内容を判断する判断工程と、
上記蓄積工程で蓄積したコンテンツデータのデータの種類を判別する種類判別工程と、
上記判断工程でコピーが可能なコンテンツデータと判断されたとき、上記バッファ手段に一時蓄積されたコンテンツデータの外部への出力を行い、コピーが禁止されるコンテンツデータと判断されたとき、上記バッファ手段に一時蓄積されたコンテンツデータを外部に出力させない出力工程とを有し、
上記種類判別工程でコンテンツデータが所定のフォーマットのデータであると判別したときに、上記検出工程及び判断工程を行って、再生データの出力制限を行う再生方法。
【請求項９】
請求項８記載の再生方法において、
上記判断工程で、上記付加情報の書き換えが必要と判断したとき、該当する付加情報が上記バッファ手段に蓄積されている間に、そのバッファ手段に蓄積された付加情報を書き換える書き換え工程を有する再生方法。
【請求項１０】
請求項９記載の再生方法において、
上記種類判別工程で判別する所定のフォーマットは、オーディオデータのフォーマットである再生方法。
【請求項１１】
請求項８記載の再生方法において、
上記コンテンツデータの再生開始時に、上記蓄積工程で、上記バッファ手段へのコンテンツデータの蓄積が、予め定められたデータ量以上になったとき、上記検出工程での検出を開始させる再生方法。
【請求項１２】
請求項９記載の再生方法において、
上記判断工程で判断した結果を、所定の態様で表示させる表示工程を有する再生方法。
【請求項１３】
コンテンツデータを所定の媒体から再生する再生手段と、
上記再生手段が再生したコンテンツデータを所定量だけ一時蓄積するバッファ手段と、
上記バッファ手段に一時蓄積されたコンテンツデータを出力させる出力手段と、
上記バッファ手段に一時蓄積されたコンテンツデータから、そのコンテンツに埋め込まれた付加情報を検出し、その検出した付加情報でコンテンツデータのコピー可能が指示されるとき、
上記出力手段からコンテンツデータを出力させ、コンテンツデータのコピーが禁止されるとき、上記出力手段からコンテンツデータを出力させない制御手段とを備え、
上記制御手段は、上記バッファ手段が一時蓄積したコンテンツデータのデータ種類を判別し、その判別したデータの種類が所定のフォーマットのデータであるときに、上記出力手段からコンテンツデータを出力させない制御を行う再生装置。
【請求項１４】
請求項１３記載の再生装置において、
上記制御手段が、上記出力手段から出力されるコンテンツデータの付加情報の書き換えが必要であると判断したとき、該当する付加情報が上記バッファ手段に蓄積されている間にこの付加情報を書き換える再生装置。
【請求項１５】
請求項１３記載の再生装置において、
上記バッファ手段が蓄積したデータ量が、予め定められたデータ量以上になってから、上記制御手段は上記付加情報の検出を行う再生装置。
【請求項１６】
請求項１３記載の再生装置において、
上記制御手段が検出した付加情報により指示された内容を表示する表示手段を備えた再生装置。
【発明の詳細な説明】
【技術分野】
【０００１】
本発明は、デジタルオーディオデータなどのコンテンツデータに、著作権管理情報などの付加情報が埋め込まれたものを記録する場合に適用して好適な記録方法及び記録装置と、再生する場合に適用して好適な再生方法及び再生装置に関する。
【背景技術】
【０００２】
従来、デジタルオーディオデータなどのコンテンツデータに、著作権管理情報を埋め込むことが行われている。例えば、デジタルオーディオデータの場合には、ベリッドデータ（Buried-data）と称されるデータを、オーディオデータの中に埋め込んで、著作権管理を行うことが提案されている。
【０００３】
このベリッドデータの詳細については、後述する実施の形態で説明するが、簡単に述べると、例えば１サンプル１６ビットで構成されるデジタルデータの最下位ビットをセクタ単位で数ビット利用して、コンテンツデータ以外の付加情報を配置するようにしたものである。このベリッドデータが埋め込まれたオーディオデータを再生させたときの出力音が、ベリッドデータを埋め込む前のオーディオ信号を再生させたときの出力音と変わらないように、ベリッドデータ以外の区間のオーディオデータには、若干の修正を施すようにしてある。また、オーディオデータが無音のデータである区間では、ベリッドデータを配置しないようにしてある。
【０００４】
このベリッドデータを使用して、著作権管理情報をオーディオデータなどのコンテンツデータに埋め込むことで、そのコンテンツの著作権管理が良好に行える。即ち、コンテンツデータに埋め込まれたベリッドデータは、そのコンテンツデータに圧縮処理などを施さない限りは、そのまま残り、サブコードなどのオーディオデータそのものとは別の付加情報として著作権管理情報を付加する場合に比べて、著作権管理情報の改ざんや除去などが困難であり、著作権の管理が有効に行える。
【発明の開示】
【発明が解決しようとする課題】
【０００５】
ところで、オーディオデータなどの著作権管理を行う上では、そのコンテンツの使用形態によっては、著作権情報の修正が必要な場合がある。ところが、上述したベリッドデータの場合には、その修正のための処理を実行する上で、装置内のハードウェアの負担が大きい問題があった。
【０００６】
即ち、オーディオデータなどのコンテンツデータの著作権情報には、コピー回数を制限する情報が含まれる場合がある。例えば１回のコピーだけが許容されたコンテンツである場合がある。このようなときには、オリジナルデータを再生して、その再生されたデータを何らかの媒体に記録させるとき、再生されたオリジナルデータに含まれるコピー１回可能と指示されたベリッドデータを、コピー不可と指示されたベリッドデータに修正して、媒体に記録させる必要がある。ところが、このような修正処理を行うためには、コンテンツデータからのベリッドデータの抽出，その抽出したベリッドデータの修正，修正されたベリッドデータのコンテンツデータへの埋め込みが必要であり、本来不正使用を防止するために記録されるデータであるため、簡単には処理ができないようにしてあり、そのための回路をデータ記録装置などに設けると、それだけ装置構成が複雑化する問題があった。
【０００７】
なお、ここではオーディオデータに埋め込まれるベリッドデータを使用した場合の問題について説明したが、その他の各種コンテンツデータに埋め込まれた付加情報を処理する場合にも、同様の問題がある。
【０００８】
本発明はかかる状況に鑑みてなされたものであり、コンテンツデータに埋め込まれた付加情報を修正することが、ハードウェアの負担を少なくして行えるようにすることを目的とする。
【課題を解決するための手段】
【０００９】
本発明は、コンテンツデータを所定量だけバッファ手段に一時蓄積させ、そのバッファ手段に一時蓄積されたコンテンツデータから、そのコンテンツに埋め込まれた付加情報を検出し、その検出された付加情報の内容を判断し、コンテンツデータのデータの種類を判別し、コンテンツデータが記録可能なコンテンツデータと判断されたとき、コンテンツデータを所定の媒体に記録させ、記録が禁止されるコンテンツデータと判断されたとき、コンテンツデータの媒体への記録を実行しないようにし、コンテンツデータが所定のフォーマットのデータであると判別したときに、上記検出及び判断を行って、媒体への記録制限を行うようにしたものである。
【００１０】
このように記録を行うことで、例えば入力したコンテンツデータに埋め込まれた付加情報にコピーを制限する情報が配置されていたとき、その付加情報に基づいたコンテンツデータの媒体への記録制限処理が行われる。
【００１１】
また本発明は、所定の媒体から再生したコンテンツデータを所定量だけバッファ手段に一時蓄積させ、そのバッファ手段に一時蓄積されたコンテンツデータから、そのコンテンツに埋め込まれた付加情報を検出し、その検出された付加情報の内容を判断し、蓄積したコンテンツデータのデータの種類を判別し、コピーが可能なコンテンツデータと判断されたとき、バッファ手段に一時蓄積されたコンテンツデータの外部への出力を行い、コピーが禁止されるコンテンツデータと判断されたとき、バッファ手段に一時蓄積されたコンテンツデータを外部に出力させないようにし、種類判別でコンテンツデータが所定のフォーマットのデータであると判別したときに、上記検出及び判断を行って、再生データの出力制限を行うようにしたものである。
【００１２】
このように再生を行うことで、例えば媒体から再生したコンテンツデータに埋め込まれた付加情報にコピーを制限する情報が配置されていたとき、その付加情報に基づいたコンテンツデータの出力制限が行われ、出力されるコンテンツデータを他の媒体に記録するようなことが制限される。
【発明の効果】
【００１３】
本発明の記録方法及び記録装置によると、例えば入力したコンテンツデータに埋め込まれた付加情報にコピーを制限する情報が配置されていたとき、その付加情報に基づいたコンテンツデータの媒体への記録制限処理が行われ、記録させるデータを一時蓄積させるバッファ手段に蓄積されたデータの判断で、記録制限処理が良好に行われるようになり、不正コピー防止などの著作権保護処理が簡単に実行できる。
【００１４】
この場合、付加情報の書き換えが必要と判断したとき、該当する付加情報がバッファ手段に蓄積されている間に、そのバッファ手段に蓄積された付加情報を書き換える処理を行うことで、付加情報の書き換えを実行する手段を別途必要とすることなく簡単にコピー制限情報などの付加情報の書き換えが行える。
【００１５】
また、入力したコンテンツデータのデータ種類を判別して、コンテンツデータが所定のフォーマットのデータであると判別したときだけ、付加情報の検出及び判断を行って、必要なときに媒体への記録制限を行うようにしたことで、記録制限を行う可能性のあるフォーマットのデータを記録する場合にだけ、該当する検出や判断処理を行えばよく、その他のフォーマットのデータを記録する場合には、付加情報の検出や判断を行う必要がなく、それだけ簡単に記録処理が実行できるようになる。
【００１６】
さらに、この入力したコンテンツデータのデータ種類を判別する場合に、その判別する所定のフォーマットは、オーディオデータである可能性があるフォーマットであることで、オーディオデータの不正記録防止処理が、簡単な処理で有効に機能するようになる。
【００１７】
さらにまた、コンテンツデータの入力開始時に、バッファ手段へのコンテンツデータの蓄積が、予め定めたデータ量以上になったとき、付加情報の検出を開始させることで、コンテンツデータに周期的に埋め込まれた付加情報を、確実に検出できるようになる。また、コンテンツデータの先頭区間には付加情報が埋め込まれてない場合にも、付加情報を確実に検出できるようになる。
【００１８】
また本発明の再生方法及び再生装置によると、例えば媒体から再生したコンテンツデータに埋め込まれた付加情報にコピーを制限する情報が配置されていたとき、その付加情報に基づいたコンテンツデータの出力制限が行われ、出力されるコンテンツデータを他の媒体に記録するようなことが制限され、再生したデータを一時蓄積させるバッファ手段に蓄積されたデータの判断で、再生データの出力制限処理が良好に行われるようになり、再生データが他の記録装置で記録されるような不正コピーの防止などの著作権保護処理が簡単に実行できる。
【００１９】
この場合、付加情報の書き換えが必要と判断したとき、該当する付加情報がバッファ手段に蓄積されている間に、そのバッファ手段に蓄積された付加情報を書き換えるようにしたことで、付加情報の書き換えを実行する手段を別途必要とすることなく簡単にコピー制限情報などの付加情報の書き換えが行える。
【００２０】
また、蓄積したコンテンツデータのデータ種類を判別し、コンテンツデータが所定のフォーマットのデータであると判別したときだけ、付加情報の検出及び判断を行って、再生データの出力制限を行うようにしたことで、不正使用の制限を行う可能性のあるフォーマットのデータを再生する場合にだけ、該当する検出や判断処理を行えばよく、その他のフォーマットのデータを再生する場合には、付加情報の検出や判断を行う必要がなく、それだけ簡単に再生処理が実行できるようになる。
【００２１】
また、この再生したコンテンツデータのデータ種類を判別する場合に、判別する所定のフォーマットは、オーディオデータである可能性があるフォーマットであることで、オーディオデータの不正使用防止処理が、簡単な処理で有効に機能するようになる。
【００２２】
さらに、コンテンツデータの再生開始時に、バッファ手段へのコンテンツデータの蓄積が、予め定めたデータ量以上になったとき、付加情報の検出を開始させることで、コンテンツデータに周期的に埋め込まれた付加情報を、確実に検出できるようになる。また、コンテンツデータの先頭区間には付加情報が埋め込まれてないような場合にも、付加情報を確実に検出できるようになる。
【００２３】
さらにまた、付加情報を判断した結果を、所定の態様で表示させるようにしたことで、媒体から再生したデータの出力が制限させるような場合に、なぜ出力制限が行われるのかが表示で確実に判るようになる。
【発明を実施するための最良の形態】
【００２４】
以下、添付図面を参照して、本発明の一実施の形態について説明する。
【００２５】
図１は、本発明の処理が実行されるディスクドライブ装置１００の構成を示した図である。このディスクドライブ装置１００は、ＣＤ−ＲＯＭと称されるデータ記録ディスクの再生を行うと共に、ＣＤ−Ｒ又はＣＤ−ＲＷと称される記録可能な媒体（ＣＤ−Ｒは１回だけ記録ができる媒体であり、ＣＤ−ＲＷはデータの書き換えができる媒体である）を使用して、データの記録が可能なものであり、接続された機器（コンピュータ装置など）に再生されたデータを出力し、また接続された機器から入力したデータを記録するものである。
【００２６】
本例の場合には、ディスクドライブ装置１００は、ホストコンピュータ２００に接続してあり、そのホストコンピュータ２００に再生データが供給されて処理されると共に、記録データもホストコンピュータ２００から供給される。再生や記録の実行についても、ホストコンピュータ２００からの指示に基づいて実行される。
【００２７】
ディスクドライブ装置１００の内部構成について説明すると、ドライブ装置１００に装着されたディスク１０１は、ベースユニット１１０に取付けられたスピンドルモータ１１１により回転駆動され、光学ピックアップ１２０内のレーザドライバ１２１からビームスプリッタ１２３及びレンズ１２４を介して、ディスク１０１の信号記録面にレーザ光が照射される。ディスク１０１にデータを記録する際には、その照射されるレーザ光のパワーが記録用の比較的強いパワーに設定される。ディスク１０１に記録されたデータを読み出す際には、ディスクに照射されるレーザ光のパワーが、再生用の比較的弱いパワーに設定され、ディスク１０１の信号記録面で反射した戻り光が、レンズ１２４及びビームスプリッタ１２３を介してディテクタ１２２に届き、ディテクタ１２２で検出される。なお、ディテクタ１２２では、光を複数位置に分割して検出するようにしてある。
【００２８】
光学ピックアップ１２０のディスク１０１に対する半径位置については、ベースユニット１１０に取付けられた送りモータ（スレッドモータ）１１２により駆動されて設定される。また、光学ピックアップ１２０内には、レーザ光のフォーカス調整やトラッキング調整を行うためのフォーカスコイルやトラッキングコイルを備えて（図示せず）、サーボブロック１３０内のフォーカス・トラッキング・スレッド・サーボ部１３３からのフォーカス制御信号やトラッキング制御信号で制御される。送りモータ１１２についても、フォーカス・トラッキング・スレッド・サーボ部１３３からのスレッドモータ駆動信号により駆動制御される。スピンドルモータ１１１については、サーボブロック１３０内のスピンドルサーボ部１３１からのスピンドル駆動信号により駆動制御される。
【００２９】
光学ピックアップ１２０内のディテクタ１２２で検出された信号については、ＲＦ処理ブロック１４０内のサンプル／ホールド及びマトリクスアンプ回路１４３に供給されて、所定のタイミングで検出信号がサンプリングされて増幅され、ＲＦ信号処理回路１４４で再生ＲＦ信号が生成される。回路１４３でのサンプリングタイミングは、デジタル処理ブロック１５０内のタイミングジェネレータ１５１から供給されるサンプリングパルスにより設定される。
【００３０】
また、サンプル／ホールド及びマトリクスアンプ回路１４３で、ディテクタ１２２の所定位置の出力の加算，減算などの演算処理が行われて、トラッキングエラー信号やフォーカスエラー信号などのエラー成分が生成されて、そのエラー成分がサーボブロック１３０内のサーボプロセッサ１３２に供給されて、サーボ部１３３でサーボ制御信号が生成される。
【００３１】
ＲＦ信号処理回路１４４が出力する再生ＲＦ信号は、デジタル処理ブロック１５０内のアナログ／デジタル変換及びデジタル処理回路１５３に供給して、デジタル変換した後、デジタルデータ処理を行い、処理されたデータをデコード／エンコードブロック１６０に供給して、再生用にデコードし、再生データを得る。デコード／エンコードブロック１６０は、ＣＤ−ＲＯＭエンコーダ／デコーダ１６１と、ＥＦＭ＆ＣＩＲＣエンコーダ／デコーダ１６２を備えて、再生時には、ＥＦＭ＆ＣＩＲＣエンコーダ／デコーダ１６２で、ＣＤフォーマットで規定されたＥＦＭ（８−１４変換）用のデコード及びＣＩＲＣ（クロスインターリーブリードソロモン符号）を使用した訂正処理などが行われ、ＣＤ−ＲＯＭエンコーダ／デコーダ１６１でＣＤ−ＲＯＭフォーマットからのデコードが行われる。
【００３２】
このとき、デコード／エンコードブロック１６０には、データを一時蓄積するバッファメモリ１６３が接続してある。このバッファメモリ１６３は、データの一時記憶手段であり、デコード前のデータ又はデコードされたデータを、そのバッファの記憶容量まで一時蓄積することができる。このバッファメモリ１６３が蓄積できるデータ量は、比較的大きなデータ量としてある。例えば、オーディオデータであるときには、少なくとも数十秒間のオーディオデータを蓄積できるデータ量とする。なお、本例の場合には、後述するコントローラ１７１の制御で、バッファメモリ１６３に蓄積されたデータの一部を修正（書き換え）することができるようにしてある。このバッファメモリ１６３を使用した書き換え処理を実行する場合については後述する。
【００３３】
デコード／エンコードブロック１６０でデコードされた再生データは、外部インターフェース１７３を介して、外部に出力される。ここでは、ディスクドライブ装置１００に接続されたホストコンピュータ２００に伝送される。
【００３４】
ディスクドライブ装置１００でディスクに記録する構成としては、例えばホストコンピュータ２００から外部インターフェース１７３に入力したデータを、デコード／エンコードブロック１６０内のＣＤ−ＲＯＭエンコーダ／デコーダ１６１でＣＤ−ＲＯＭフォーマットへのエンコードが行われ、ＥＦＭ＆ＣＩＲＣエンコーダ／デコーダ１６２で、ＣＤフォーマットで規定されたＥＦＭ（８−１４変換）用のエンコード及びＣＩＲＣ（クロスインターリーブリードソロモン符号）の付加処理などが行われる。
【００３５】
デコード／エンコードブロック１６０でエンコードされた記録データ（いわゆるＥＦＭデータ）は、デジタル処理ブロック１５０内のＥＦＭイコライザ１５２に供給されて、レーザドライバ駆動用のイコライザ処理が行われ、そのイコライザ処理が行われた記録データに基づいて、光学ピックアップ１２０内のレーザドライバ１２１のレーザ出力が制御される。また、デコード／エンコードブロック１６０での処理タイミングに同期して、デジタル処理ブロック１５０内のタイミングジェネレータ１５１が、タイミングパルスを生成するようにしてあり、その生成されたタイミングパルスを、自動パワーコントロール回路（ＡＰＣ回路）１４１に供給し、デジタル／アナログ変換器１４２から供給されたレーザ駆動信号のレベル制御タイミングの制御を行う。このＡＰＣ回路１４１でレベル調整されたレーザ駆動信号が、レーザドライバ１２１に供給されて、ディスク１０１に照射されるレーザ光でディスク１０１の信号記録面にデータが記録される。
【００３６】
なお、装着されたディスク１０１として、そのトラックに形成されたトラックのウォブリング（蛇行）によりアドレス情報などが記録されたディスクである場合には、サンプル／ホールド及びマトリクスアンプ回路１４３の出力が供給されるＡＴＩＰ復調部１７２で、そのウォブリングにより記録されたデータが復調されて、コントローラ１７１に供給される。また、ＡＴＩＰ復調部１７２で復調されたデータは、サーボブロック１３０にも供給されて、サーボ制御に使用される。
【００３７】
ここまで説明した再生や記録のための各回路での処理は、コントローラ１７１の制御により実行される。後述するベリッドデータの処理についても、各部で処理されるデータをコントローラ１７１が判断して、そのベリッドデータに基づいた適正な制御処理をコントローラ１７１が行うようにしてある。
【００３８】
次に、本例のディスクドライブ装置１００を使用してディスクへのデータの記録や、ディスクに記録されたデータの再生を行う際の処理動作を、説明する。ここでは、データに含まれるベリッドデータに関連した処理を中心にして説明する。
【００３９】
まず、ベリッドデータがどのようなデータであるかについて説明する。従来の技術の欄で既に説明したように、デジタルオーディオデータなどの各種コンテンツデータに、著作権管理情報を埋め込むことが行われており、デジタルオーディオデータの場合には、ベリッドデータ（Buried-data）と称されるデータを、実際のオーディオデータの中に埋め込んで、著作権管理を行うことが提案されている。従来から実用化されている一般的な著作権管理情報の記録処理が、コンテンツデータ（オーディオデータ）に付随するサブコードなどを使用して記録されるデータであるのに対して、ベリッドデータの場合には、オーディオデータの実データの一部に、直接著作権管理情報などを埋め込むようにしたものであり、データに圧縮処理などを施さない限りは、そのまま残るものであり、ベリッドデータが著作権管理情報として有効に機能する。また、ベリッドデータが埋め込まれたオーディオデータを再生したとき、ベリッドデータの存在が再生音に実質的に影響を与えないように、ベリッドデータを埋め込む区間などを選定するようにしてある。
【００４０】
図２は、ベリッドデータの配置例を示した図である。図２の上段は、オーディオデータの構成を示した図であり、ここでは１サンプル１６ビットでデジタルオーディオデータが構成されて、その１サンプル１６ビットのデータを、所定時間のサンプル数集めて、１スーパーフレームが構成される。図２の上段では、スーパーフレームｉと、そのフレームｉに続いたスーパーフレームｊを示してある。１６ビットの各サンプルデータでは、伝送されるオーディオの波形に相当するサンプル値が示されるようにしてある。１スーパーフレームは、図２R>２の中段に示すように、９６セクタに分割して構成され、図２の下段に１セクタのデータ例を拡大して示すように、各セクタの先頭から所定サンプル数のデータの最下位ビット（ＬＳＢ）を使用して、ベリッドデータが配置される。但し、図２に示すセクタ〔ｊ＋３〕の場合のように、その区間のオーディオデータのレベルが無音状態（又は無音に近い状態）で、例えばそのセクタの最下位ビットが０データである状態が続くようなときには、そのセクタにはベリッドデータは配置しない。また、ベリッドデータを各セクタに配置する場合には、そのベリッドデータの配置によって、再生されるオーディオが元のオーディオから変化することがないように、オーディオデータに若干の修正処理を施す場合もある。但し、本例のようなベリッドデータは、各セクタの最下位ビットの一部だけを使用するものであるため、特に修正を施さなくても、再生される音の変化はほとんどない。
【００４１】
図３は、ベリッドデータのより詳細な構成を示した図であり、図３の上段に示した１サンプル１６ビットのオーディオデータトラックの最下位ビットにセクタ毎に配置されたベリッドデータは、オフセットデータが配置されたデータである場合と、コピーライト情報が配置されたデータである場合とがある。また、セクタ〔ｊ＋３〕の場合のような無音区間は、ベリッドデータなし（エンプティ）となっている。
【００４２】
コピーライト情報は、１セクタに１回だけ配置するようにしてあり、１セクタ内の他のバリットデータは、基本的にオフセットデータが配置してある。このオフセットデータは、次のコピーライト情報が配置されるセクタ位置までのセクタ数を示したデータである。従って、１スーパーフレーム期間に少なくとも１回、オフセットデータを検出することができれば、コピーライト情報が配置された位置を判断でき、コピーライト情報を確実に検出できるようになる。
【００４３】
図３の下段に示すように、オフセットデータが配置されたベリッドデータは、同期ワードと、オフセットデータと、誤り検出符号である巡回冗長コード（ＣＲＣ）などが配置してある。
【００４４】
また、図３の下段に示すように、コピーライト情報が配置されたベリッドデータについては、同期ワードと、著作権管理情報であるコピーライト情報と、１ビットの拡張タグと、ＣＲＣなどが配置してある。巡回冗長コードについては、１単位のベリッドデータ全てのデータに対して生成されたコードである。
【００４５】
図４は、１単位のベリッドデータに配置されるコピーライト情報の構成例を示した図である。本例の場合には、コピー／オリジナル情報と、メディアタイプ情報と、コピー制限有無情報と、コピーコントロール情報の４種類の情報が配置してある。コピー／オリジナル情報は、このベリッドデータが埋め込まれたオーディオデータが、オリジナルのデータであるか、或いは何らかの媒体などからコピーしたデータであるのかが示される。メディアタイプ情報は、このベリッドデータが埋め込まれたオーディオデータが記録されたメディアのタイプが示される。コピー制限有無情報は、このベリッドデータが埋め込まれたオーディオデータのコピーに制限があるか否かの区別が示される。コピーコントロール情報は、このベリッドデータが埋め込まれたオーディオデータのコピー可能回数（媒体への複製可能回数）が示される。
【００４６】
コピーコントロール情報で示されるコピー可能回数としては、例えばコピー可能回数０回（即ちコピー禁止）であることが示される場合と、１回だけコピー可能であることが示される場合と、コピー可能回数が無制限である場合などがある。
【００４７】
このように構成されるベリッドデータを、本例のディスクドライブ装置１００では、ディスク１０１にホストコンピュータ２００側から入力したデータを記録する際に、コントローラ１７１の制御で、バッファメモリ１６３に記録データが蓄積された状態で、その蓄積データから判断して、その記録の可否などを判断するようにしてある。また、必要によりベリッドデータの修正を行うようにしてある。
【００４８】
なお、本例のディスクドライブ装置１００が扱うデータ（即ち記録するデータ及び再生するデータ）には、このようなベリッドデータが埋め込まれたオーディオデータの他に、ベリッドデータが埋め込まれてないオーディオデータの場合もあり、またオーディオデータ以外のデータの場合には、基本的にベリッドデータは埋め込まれてない。但し、ビデオデータなどのオーディオデータ以外の各種コンテンツデータに、ベリッドデータ（又は他の同様の著作権管理用データ）が埋め込まれる場合はあり得る。
【００４９】
またベリッドデータは、基本的にそのオーディオデータの先頭から末尾までのほぼ全区間に埋め込むように処理されるが、例えば部分的に編集処理が行われて、一部が他のオーディオデータに置き替えられるような処理などで、楽曲の一部の区間にだけベリッドデータが配置されるような場合もある。
【００５０】
次に、本例のディスクドライブ装置１００での記録時の処理を、ベリッドデータの処理を中心として説明する。図５のフローチャートは、コントローラ１７１の制御で実行される記録時のコピーライト情報に関連した処理例を示したものである。以下、その処理を説明すると、まずホストコンピュータ２００側から外部インターフェース１７３を介してデータが入力したとき、その入力したデータを、初期データに相当するデータ量に、さらに１セクタ分のデータを加算したデータ量だけ、バッファメモリ１６３に蓄積させる（ステップＳ１１）。
【００５１】
ここでの初期データに相当するデータ量は、例えばバッファメモリ１６３が比較的余裕をもって記憶できるデータで、なおかつ少なくとも十数秒程度のオーディオデータに相当するデータ量に決められる。このような初期データの記憶を行うのは、オーディオデータは先頭部分に無音区間があるのが一般的であり、既に述べたように無音区間にはベリッドデータが配置されないため、ベリッドデータが配置されるようになるまで先頭部分からある程度の時間が必要なためである。
【００５２】
この設定されたデータ量のバッファメモリ１６３への入力データの蓄積があると、そのバッファメモリ１６３に蓄積されたデータを、コントローラ１７１が検出する処理を行って、その蓄積されたデータからオフセットデータが検出されるか否か判断する（ステップＳ１２）。
【００５３】
このときには、まず入力したデータに付随したサブコードなどから、入力したデータのフォーマットを判断し、ベリッドデータが埋め込まれたオーディオデータである可能性があるフォーマットであるか否か判断し、ベリッドデータが埋め込まれたオーディオデータである可能性がないフォーマットのデータが入力したと判断したときには、以下の判断処理を行わず、入力したデータをそのまま記録処理させる。具体的には、例えば入力したデータのデータブロックタイプで生データ（Raw data）が示されるとき、圧縮処理などが施されてないオーディオデータが伝送される可能性が高く、本例のベリッドデータが埋め込まれたオーディオデータである可能性があると判断し、その他のデータブロックタイプが示されたときには、以下のフローチャートによる記録制限処理は実行させない。
【００５４】
そして、ベリッドデータが埋め込まれたオーディオデータである可能性があるフォーマットのデータが入力したと判断したとき、その入力データからオフセットを検出する実際の処理を行う。この判断で、オフセットデータが検出された場合には、そのオフセットデータで示されたコピーライト情報の埋め込み位置を判断し、バッファメモリ１６３に蓄積されたデータ中の該当するデータからコピーライト情報が検出されるか否か判断する（ステップＳ１３）。この処理でコピーライト情報が検出されない場合には、コピーライト情報が検出されるまで処理を行い、コピーライト情報が検出されるようになったとき、そのコピーライト情報の内容をチェックする（ステップＳ１４）。この内容のチェックで、コピーライト情報中のコピー制限有無情報（図４参照）で、コピー制限があるか否かを判断する（ステップＳ１５）。
【００５５】
このコピー制限の判断で、コピー制限なしと判断したときには、バッファメモリ１６３に蓄積されたデータを、ディスクドライブ装置１００に装着されたディスク１０１に記録させる処理をコントローラ１７１が開始させて、ディスク１０１へのデータ記録を実行させる（ステップＳ１６）。このデータ記録を開始させた後にも、一定時間分のデータがバッファメモリ１６３に新たにバッファリングされる毎に、ステップＳ１２に戻って、オフセットデータの検出を定期的に行う。
【００５６】
また、ステップＳ１５でコピー制限有りと検出した場合には、コピーライト情報中のコピーコントロール情報（図４参照）で、コピーが許可された回数を判断する（ステップＳ１８）。本例の場合には、コピー制限がある状態で、コピーが許可される回数は１回だけであるので、コピー許可回数が１回であるか否か判断する。この判断で、コピー許可回数が１回でない場合（即ちコピー許可回数が０回である場合）には、コントロール１７１の制御で、このときの記録を中止させて、入力したデータのディスク１０１への記録を実行させない（ステップＳ１９）。また、既に記録を開始させた後に、このステップでコピー許可回数が０回のコピーコントロール情報を検出したときにも、そのときの記録を停止させる。
【００５７】
また、ステップＳ１８でコピー許可回数が１回であると判断したときには、バッファメモリ１６３に蓄積されたデータ中の、コピーライト情報が含まれるベリッドデータの内容を書き換える更新処理を行う（ステップＳ２０）。ここでの更新処理は、コピー許可回数が０回のコピーライト情報に修正する処理であり、その修正処理の詳細については後述する。
【００５８】
このようにしてバッファメモリ１６３の蓄積データの書き換えで、コピーライト情報が修正されたデータは、コントローラ１７１の制御で、バッファメモリ１６３から読み出して、記録のための処理を実行させて、ディスク１０１にデータを記録させる（ステップＳ２１）。
【００５９】
また、ステップＳ１２でバッファメモリ１６３にある程度のデータ量蓄積されたデータからオフセットデータを検出できない場合にも、ベリッドデータが埋め込まれてないデータであると判断して、ステップＳ１６に移って、入力したデータの記録処理を開始させる。但し、その後のステップＳ１７でバッファリングされたデータから、ステップＳ１２，Ｓ１３での処理でコピーライト情報が検出された場合には、そのときの検出条件に基づいてステップＳ１９になったとき記録が停止される。
【００６０】
次に、図５のフローチャートのステップＳ２０でのコピーライト情報の修正処理を、図６のフローチャートを参照して説明する。このコピーライト情報の修正処理は、既に述べたように、コントローラ１７１の制御で、バッファメモリ１６３に蓄積されたデータの書き換えで実行されるものであり、まずコントローラ１７１で書き換えるデータの判断処理が行われる。具体的には、図４に示すコピー／オリジナル情報がオリジナル情報であるとき、コピーに変更する（ステップＳ３１）。さらに、コピーコントロール情報を、コピー可能回数１回から０回に変更する（ステップＳ３２）。ここまでの判断を行った後、このコピー／オリジナル情報とコピーコントロール情報を修正した新たなコピーライト情報に対する巡回冗長コード（ＣＲＣ）をコントローラ１７１内で算出する（ステップＳ３３）。
【００６１】
ここまでの判断がコントローラ１７１内で行われると、コントローラ１７１が書き換えが必要と判断したデータを、実際に書き換えさせる。具体的には、バッファメモリ１６３に蓄積された該当するベリッドデータを、コントローラ１７１内で判断された新たなデータ構成のベリッドデータに書き換えさせる（ステップＳ３４）。この書き換えは、このときの曲（トラック）のオーディオデータが入力して、記録が続行され続ける限り継続して行う。但し、入力したデータにベリッドデータが埋め込まれなくなったときには、書き換え処理を中断する（記録は続行される）。
【００６２】
なお、正確なベリッドデータのオーディオデータへの埋め込みを行うためには、そのときに埋め込んだベリッドデータによって、オーディオデータの再生音に影響がないように、オーディオデータを若干修正する必要があるが、本例の場合には、各セクタに埋め込んだベリッドデータの内の、わずかなビットが修正されるだけであり、その修正による再生音の変化を聴取者が聞き取ることは困難であり、オーディオデータの修正は行わない。但し、コントローラ１７１などでの演算で、オーディオデータの修正演算が可能な場合には、このようなベリッドデータの修正に伴ったオーディオデータの修正を行っても良い。
【００６３】
このようにしてベリッドデータが修正されたオーディオデータを、ディスクドライブ装置１００に装着されたディスク１０１に記録させることで、その記録させたディスク１０１を再生するときにき、その再生データに含まれるベリッドデータが、正しくコピーが制限されるデータとなり、コピーライト情報による著作権管理処理が正しく実行できるようになる。この場合、本例の場合には、ディスクドライブ装置１００がデータ処理用として備えるバッファメモリ１６３に記録させるデータが蓄積された状態で、その蓄積データの判断から、ベリッドデータの検出が行われ、そのバッファメモリ１６３に蓄積された状態での書き換えで、ベリッドデータが修正されるので、ベリッドデータの判断や書き換えを実行するための専用の回路が必要なく、それだけディスクドライブ装置の構成や処理を簡単にすることができる。
【００６４】
また、ベリッドデータ処理のための専用の回路を構成させる必要がなく、コントローラ１７１の制御に基づいた処理であるので、例えばベリッドデータのフォーマットなどが変更された場合にも、コントローラ１７１での制御データを修正するだけで対処でき、簡単にフォーマット変更に対処できるようになる。
【００６５】
なお、ここまでの説明では、記録する際にベリッドデータの修正を行うようにしたが、ディスクドライブ装置１００で、装着されたディスク１０１からデータを再生する際に、同様のベリッドデータの検出及び修正を行うようにしても良い。図７のフローチャートは、この再生時にベリッドデータの修正を行う場合のコントローラ１７１による制御例を示した図である。以下、フローチャートに基づいて再生時の処理例を説明すると、まずディスク１０１に記録されたデータの再生を行い（ステップＳ４１）、その再生によりデコード／エンコードブロック１６０に供給された再生データを、バッファメモリ１６３に必要なデータ量蓄積させる（ステップＳ４２）。このときには、図５のフローチャートに示した記録時の処理と同様にベリッドデータの判断に必要な初期データと、さらに１セクタ加算したデータとを、バッファメモリ１６３に蓄積させる。
【００６６】
そして、この設定されたデータ量のバッファメモリ１６３への再生データの蓄積があると、そのバッファメモリ１６３に蓄積されたデータを、コントローラ１７１が検出する処理を行って、その蓄積されたデータからオフセットデータが検出されるか否か判断する（ステップＳ４３）。
【００６７】
このときには、まず再生したデータに付随したサブコードなどから、再生したデータのフォーマットを判断し、ベリッドデータが埋め込まれたオーディオデータである可能性があるフォーマットであるか否か判断し、ベリッドデータが埋め込まれたオーディオデータである可能性がないフォーマットのデータが入力したと判断したときには、以下の判断処理を行わず、バッファメモリ１６３に蓄積された再生データを、デコード／エンコードブロック１６０で処理した後、外部インターフェース１７３から外部（図１の例ではホストコンピュータ２００）に出力させる。具体的には、例えば再生したデータのデータブロックタイプで生データ（Raw data）が示されるとき、本例のベリッドデータが埋め込まれたオーディオデータである可能性があると判断し、その他のデータブロックタイプが示されたときには、以下のフローチャートによる記録制限処理は実行させない。
【００６８】
そして、ベリッドデータが埋め込まれたオーディオデータである可能性があるフォーマットのデータを再生したと判断したとき、その再生データからオフセットを検出する実際の処理を行う。この判断で、オフセットデータが検出された場合には、そのオフセットデータで示されたコピーライト情報の埋め込み位置を判断し、バッファメモリ１６３に蓄積されたデータ中の該当するデータからコピーライト情報が検出されるか否か判断する（ステップＳ４４）。この処理でコピーライト情報が検出されない場合には、コピーライト情報が検出されるまで処理を行い、コピーライト情報が検出されるようになったとき、そのコピーライト情報の内容をチェックする（ステップＳ４５）。この内容のチェックで、コピーライト情報中のコピー制限有無情報（図４参照）で、コピー制限があるか否かを判断する（ステップＳ４６）。
【００６９】
このコピー制限の判断で、コピー制限なしと判断したときには、バッファメモリ１６３に蓄積されたデータを、バッファメモリ１６３に蓄積された再生データを、デコード／エンコードブロック１６０で処理した後、外部インターフェース１７３から外部（図１の例ではホストコンピュータ２００）に出力させる（ステップＳ４７）。この再生データの出力を開始させた後にも、一定時間分のデータがバッファメモリ１６３に新たにバッファリングされる毎に（ステップＳ４８）、ステップＳ４３に戻って、オフセットデータの検出を定期的に行う。
【００７０】
また、ステップＳ４６でコピー制限有りと検出した場合には、コピーライト情報中のコピーコントロール情報（図４参照）で、コピーが許可された回数を判断する（ステップＳ４９）。本例の場合には、コピー制限がある状態で、コピーが許可される回数は１回だけであるので、コピー許可回数が１回であるか否か判断する。この判断で、コピー許可回数が１回でない場合（即ちコピー許可回数が０回である場合）には、コントロール１７１の制御で、このときの再生を中止させて、バッファメモリ１６３に蓄積されたデータを、外部インターフェース１７３からディスクドライブ装置１００の外部に出力させない（ステップＳ５０）。また、既に再生データの出力を開始させた後に、このステップでコピー許可回数が０回のコピーコントロール情報を検出したときにも、そのときの再生を停止させる。
【００７１】
また、ステップＳ４９でコピー許可回数が１回であると判断したときには、バッファメモリ１６３に蓄積されたデータ中の、コピーライト情報が含まれるベリッドデータの内容を書き換える更新処理を行う（ステップＳ５１）。ここでの更新処理は、コピー許可回数が０回のコピーライト情報に修正する処理であり、その修正処理は、既に図６のフローチャートに説明した記録時の修正処理と同じ処理である。
【００７２】
このようにしてバッファメモリ１６３の蓄積データの書き換えで、コピーライト情報が修正されたデータは、コントローラ１７１の制御で、バッファメモリ１６３から読み出して、必要によりデコード／エンコードブロック１６０で処理した後、外部インターフェース１７３から外部（ホストコンピュータ２００）に出力させ、以後ディスクからの再生と、その再生データの出力を継続させる（ステップＳ５２）。但し、ステップＳ５２での再生データの出力が開始された後にも、ステップＳ４４に戻って、随時コピーライト情報が適正に処理されているか判断し、ステップＳ４９でコピー不可と判断されたとき、再生データの出力を停止させる。
【００７３】
また、ステップＳ４３でバッファメモリ１６３にある程度のデータ量蓄積されたデータからオフセットデータを検出できない場合にも、ベリッドデータが埋め込まれてないデータであると判断して、ステップＳ４７に移って、再生したデータの出力処理を開始させる。但し、その後のステップＳ４８でバッファリングされたデータから、ステップＳ４３，Ｓ４４での処理でコピーライト情報が検出された場合には、そのときの検出条件に基づいてステップＳ５０になったとき再生データの出力が停止される。
【００７４】
このようにして、再生時に処理を行うことでも、ディスクに記録されたデータに埋め込まれた著作権管理情報に基づいて、そのディスクからの再生データの不正なコピーなどを効果的に実行できる。この場合、上述した記録時に処理を行う場合と同様に、バッファメモリ１６３に蓄積されたデータのコントローラ１７１での判断と、そのバッファメモリ１６３に蓄積されたデータの書き換えだけで、実行できるので、ベリッドデータを検出及び書き換え処理する専用の回路が必要なく、それだけ簡単な構成及び処理で、再生時のベリッドデータ管理が実行できるようになる。
【００７５】
なお、図７のフローチャートの説明では、単純に再生データの出力の制限を行うか否かを制御するようにしたが、そのときの再生データの出力状態に応じて、図７のフローチャートに基づいた処理を行うようにしても良い。例えば、図１に示した構成のように、ディスクドライブ装置１００にホストコンピュータ２００などの再生データがそのままデジタル記録される可能性の高い機器が接続されている状態のとき、その接続された機器への出力については、図７のフローチャートに示したような再生データの出力制限処理を行い、例えば再生されたオーディオデータをアナログ変換してアナログ音声信号として出力させる端子からは、どのようなベリッドデータが検出されても、出力を制限しないようにしても良い。
【００７６】
また、上述した実施の形態では、ディスクドライブ装置１００内のコントローラ１７１の判断で、記録の制限や再生の制限を行うようにしたが、ディスクドライブ装置１００では、ホストコンピュータ２００からの指示に基づいて、ホストコンピュータ２００側から供給されるデータのディスク１０１への記録や、ディスク１０１から再生したデータのホストコンピュータ２００への出力を行い、ホストコンピュータ２００内のバッファメモリとして機能するメモリに蓄積された記録データ又は再生データの、そのホストコンピュータ２００側の制御手段でのベリッドデータの同様の判断処理を行って、ホストコンピュータ２００で記録を制限させたり、再生されたデータの出力を制限させるようにしても良い。
【００７７】
また、上述した実施の形態では、入力したデータ（又は再生したデータ）からベリッドデータを検出する処理として、最初に予め決められたデータ量の初期データをバッファメモリに蓄積させるようにしたが、例えば入力したデータがオーディオデータであるとき、そのオーディオデータの信号レベルをコントローラで判断させて、そのオーディオデータがある程度の信号レベルになって、ベリッドデータが確実に配置されるようになるまで、バッファメモリに入力データを初期データとしてバッファリングさせるようにしても良い。
【００７８】
また、上述した実施の形態では、デコード／エンコードブロック１６０に接続されたバッファメモリ１６３を使用して、データの検出及び書き換えを行うようにしたが、記録系や再生系の回路が備えるその他のバッファメモリを使用して、データの検出及び書き換えを行うようにしても良い。
【００７９】
また、上述した実施の形態では、オーディオデータに埋め込まれるベリッドデータに基づいた記録処理や再生処理を行う場合について説明したが、その他の各種コンテンツデータに直接埋め込まれるデータを検出して、各種媒体への記録や、媒体からの再生を制御する場合にも適用できることは勿論である。
【図面の簡単な説明】
【００８０】
【図１】本発明の一実施の形態による装置の全体構成例を示すブロック図である。
【図２】本発明の一実施の形態によるベリッドデータの配置例を示す説明図である。
【図３】本発明の一実施の形態によるコピーライト情報の配置例を示す説明図である。
【図４】本発明の一実施の形態によるコピーライト情報の例を示す説明図である。
【図５】本発明の一実施の形態による記録時の処理を示すフローチャートである。
【図６】本発明の一実施の形態によるコピーライト情報の内容更新処理を示すフローチャートである。
【図７】本発明の一実施の形態による再生時の処理を示すフローチャートである。
【符号の説明】
【００８１】
１００…ディスクドライブ装置、１０１…ディスク、１１０…ベースユニット、１１１…スピンドルモータ、１１２…送りモータ、１２１…レーザドライバ、１２２…ディテクタ、１２３…ビームスプリッタ、１２４…レンズ、１３０…サーボブロック、１３１…スピンドルサーボ部、１３２…サーボプロセッサ、１３３…フォーカス・トラッキング・スレッド・サーボ部、１４０…ＲＦ処理ブロック、１４１…自動パワーコントロール回路（ＡＰＣ回路）、１４２…デジタル／アナログ変換器、１４３…サンプル／ホールド及びマトリクスアンプ回路、１４４…ＲＦ信号処理回路、１５０…デジタル処理ブロック、１５１…タイミングジェネレータ、１５２…ＥＦＭイコライザ、１５３…アナログ／デジタル変換及びデジタル処理回路、１６０…エンコード／デコードブロック、１６１…ＣＤ−ＲＯＭエンコーダ／デコーダ、１６２…ＥＦＭ＆ＣＩＲＣエンコーダ／デコーダ、１６３…バッファメモリ、１７１…コントローラ、１７２…ＡＴＩＰ復調部、１７３…外部インターフェース、２００…ホストコンピュータ
【図１】
2006313618.tif 000003
【図２】
2006313618.tif 000004
【図３】
2006313618.tif 000005
【図４】
2006313618.tif 000006
【図５】
2006313618.tif 000007
【図６】
2006313618.tif 000008
【図７】
2006313618.tif 000009